(57)【特許請求の範囲】
【請求項１】
測定対象成分における互いに相違するＮ種類（Ｎは、３以上の自然数）の成分値毎の測定値がそれぞれ記録された測定データに基づき、Ｎ個の当該測定値のなかから予め規定されたＭａ個以上Ｍｂ個以下の範囲内のＭ個（Ｍａは、自然数で、Ｍｂは、Ｍａよりも大きい自然数）のピーク値を特定すると共に、特定した前記ピーク値を対応する前記成分値に関連付けてピーク値データを生成する処理部を備えた測定データ処理装置であって、
前記処理部は、前記成分値の大きさ順で連続する予め規定された数の前記測定値のなかで判定対象の当該測定値が最も大きな値であるか否かを前記Ｎ個の測定値を順次判定対象として判定すると共に当該判定対象の測定値が最も大きな値のときに当該判定対象の測定値に大きい重みを付与する第１処理を予め規定された終了条件が満たされるまで繰り返し実行し、前記終了条件が満たされたときに、重みが大きい順でＭ個の前記測定値を抽出する第２処理を実行して当該Ｍ個の測定値を前記Ｍ個のピーク値として特定し、
前記第１処理において、前記判定対象の測定値から数えて前記成分値がＬ個目（Ｌは、自然数）に小さい前記測定値から、当該判定対象の測定値から数えて当該成分値がＬ個目に大きい前記測定値までの当該成分値の大きさ順における（２Ｌ＋１）個の前記測定値を前記予め規定された数の測定値として当該（２Ｌ＋１）個の測定値のなかで当該判定対象の測定値が最も大きな値であるか否かを判定すると共に当該判定対象の測定値が最も大きな値のときに当該判定対象の測定値に値Ｋ（Ｋは、正の数および負の数のうちの予め規定された一方の数）の重みを付与し、
前記第１処理を完了する都度、予め規定された対象数変更手順に従って前記Ｌの値を大きな値に変更し、かつ予め規定された重み変更手順に従って前記Ｋの値を大きな値に変更して当該第１処理を再び実行し、
前記第１処理において最も大きな値であると判定した前記測定値が１個以下になったときに、前記終了条件が満たされたとして前記第２処理を実行する測定データ処理装置。
【請求項２】
前記処理部は、前記第１処理を完了する都度、前記対象数変更手順に従って前記Ｌの値を２倍の値に変更する請求項１記載の測定データ処理装置。
【請求項３】
測定対象成分における互いに相違するＮ種類（Ｎは、３以上の自然数）の成分値毎の測定値がそれぞれ記録された測定データに基づき、Ｎ個の当該測定値のなかから予め規定されたＭａ個以上Ｍｂ個以下の範囲内のＭ個（Ｍａは、自然数で、Ｍｂは、Ｍａよりも大きい自然数）のピーク値を特定すると共に、特定した前記ピーク値を対応する前記成分値に関連付けてピーク値データを生成する測定データ処理方法であって、
前記成分値の大きさ順で連続する予め規定された数の前記測定値のなかで判定対象の当該測定値が最も大きな値であるか否かを前記Ｎ個の測定値を順次判定対象として判定すると共に当該判定対象の測定値が最も大きな値のときに当該判定対象の測定値に大きい重みを付与する第１処理を予め規定された終了条件が満たされるまで繰り返し実行し、前記終了条件が満たされたときに、重みが大きい順でＭ個の前記測定値を抽出する第２処理を実行して当該Ｍ個の測定値を前記Ｍ個のピーク値として特定し、
前記第１処理において、前記判定対象の測定値から数えて前記成分値がＬ個目（Ｌは、自然数）に小さい前記測定値から、当該判定対象の測定値から数えて当該成分値がＬ個目に大きい前記測定値までの当該成分値の大きさ順における（２Ｌ＋１）個の前記測定値を前記予め規定された数の測定値として当該（２Ｌ＋１）個の測定値のなかで当該判定対象の測定値が最も大きな値であるか否かを判定すると共に当該判定対象の測定値が最も大きな値のときに当該判定対象の測定値に値Ｋ（Ｋは、正の数および負の数のうちの予め規定された一方の数）の重みを付与し、
前記第１処理を完了する都度、予め規定された対象数変更手順に従って前記Ｌの値を大きな値に変更し、かつ予め規定された重み変更手順に従って前記Ｋの値を大きな値に変更して当該第１処理を再び実行し、
前記第１処理において最も大きな値であると判定した前記測定値が１個以下になったときに、前記終了条件が満たされたとして前記第２処理を実行する測定データ処理方法。
【請求項４】
前記第１処理を完了する都度、前記対象数変更手順に従って前記Ｌの値を２倍の値に変更する請求項３記載の測定データ処理方法。
【発明の詳細な説明】
【技術分野】
【０００１】
本発明は、測定データに記録されている各測定値のなかからピーク値を特定してピーク値データを生成する測定データ処理装置および測定データ処理方法に関するものである。
【背景技術】
【０００２】
例えば、下記の特許文献には、音声の音質を評価する音質評価装置の発明が開示されている。この音質評価装置による音質の評価に際しては、まず、マイクロホンによって音声を集音する。この際には、マイクロホンからアナログの電気信号が出力され、この電気信号がＡ／Ｄ変換器によってデジタル信号に変換されてデータ記憶器に保存される。次いで、データ記憶器に保存されているデジタル信号をピーク検出部によって処理することにより、マイクロホンによって集音された音声の音質を評価する。
【０００３】
具体的には、周波数分析部がデータ記憶器に保存されているデジタル信号を対象とする周波数分析処理を実行し、音圧検出部が周波数分析部によって分析された各周波数毎の音圧（測定値）を検出し、かつピーク判定部が音圧検出部によって検出された各周波数毎の測定値（音圧）のなかからピーク値を検出する。これにより、検出されたピーク値が低周波のときには、低周波の重苦しい音質の騒音が生じていると評価され、検出されたピーク値が高周波のときには、高周波の甲高い音質の騒音が生じていると評価される。なお、この音質評価装置では、上記のピーク検出部による各処理と並行して、パワースペクトル平均値算出部によるパワースペクトルの演算処理、重み関数重畳処理、およびそれらの処理結果に基づく音質の評価処理や、うるささ評価値演算部による「うるささ」の評価処理などが実行されるが、音質評価装置による評価方法の概要に関する理解を容易とするために、それらの処理についての説明を省略する。
【先行技術文献】
【特許文献】
【０００４】
【特許文献１】特開平１０−２６７７４２号公報（第４−６頁、第１−９図）
【発明の概要】
【発明が解決しようとする課題】
【０００５】
ところが、従来の音質評価装置には、以下の解決すべき問題点が存在する。すなわち、従来の音質評価装置では、マイクロホンによって集音した音声に対応するデジタル信号における各周波数毎の測定値のなかからピーク値を検出し、検出したピーク値の周波数がどのような周波数であるかに基づいて、どのような騒音が生じているかを評価する構成が採用されている。
【０００６】
この場合、この種の装置による音質の評価時には、低周波から高周波まで各種周波数の騒音が複数同時に発生していることがある。しかしながら、従来の音質評価装置では、音圧検出部によって検出された各周波数毎の測定値（音圧）のなかから１つのピーク値（最大値）を検出し、検出したピーク値の周波数に基づいて音質を評価する構成が採用されている。このため、従来の音質評価装置では、例えば、低周波の騒音および高周波の騒音の２種類の騒音が発生している状態において低周波の騒音の測定値（音圧）が高周波の騒音の測定値（音圧）よりも低いときには、低周波の騒音に対応するピーク値が検出されず、結果として、高周波の騒音だけが発生している（低周波の騒音が発生していない）と誤って評価されるという問題点がある。
【０００７】
一方、音圧検出部によって検出された各周波数毎の測定値のなかから複数のピーク値を検出し、検出した各ピーク値の周波数に基づいてどのような種類の騒音が生じているかを評価するように音質評価装置を改良することにより、低周波から高周波までの各種周波数の騒音が複数同時に発生している状態において、それらの騒音をそれぞれ検出することができきる可能性がある。しかしながら、騒音の種類によっては、ある程度の周波数帯域に亘って高い音圧（測定値）が測定されることがある。このため、例えば低周波の騒音および高周波の騒音の２種類が発生している状態において周波数のピッチを狭くして音圧測定を行ったときに、周波数が僅かに相違する複数種類の低周波の音、および周波数が僅かに相違する複数種類の高周波の音が検出されることがある。
【０００８】
このような状態において、一例として、２種類の騒音を検出するために２つのピーク値を検出しようとしたときに、低周波の騒音の音圧（測定値）が高周波の騒音の音圧（測定値）よりも低いときには、周波数が僅かに相違する複数種類の高周波の音として検出された音圧（測定値）のなかから２つのピーク値が特定される。かかる場合には、実際には低周波の騒音および高周波の騒音の２種類が発生しているにも拘わらず、２種類の高周波の騒音だけが発生していると誤って評価されることとなる。このため、従来の音質評価装置を改良した装置においても、集音した音声の音質を正しく評価することができないことがある。
【０００９】
なお、発明が解決しようとする課題についての理解を容易とするために、音質を評価する音質評価装置の例について説明したが、この音質評価装置に存在する上記の問題点は、測定データに記録されている複数の測定値のなかから複数のピーク値を特定してピーク値データを生成する各種の測定データ処理装置においても同様に発生する。
【００１０】
本発明は、かかる解決すべき問題点に鑑みてなされたものであり、複数のピーク値を特定する際に測定対象成分の成分値が互いに相違する各種のピーク値を好適に特定し得る測定データ処理装置および測定データ処理方法を提供することを主目的とする。
【課題を解決するための手段】
【００１１】
上記目的を達成すべく請求項１記載の測定データ処理装置は、測定対象成分における互いに相違するＮ種類（Ｎは、３以上の自然数）の成分値毎の測定値がそれぞれ記録された測定データに基づき、Ｎ個の当該測定値のなかから予め規定されたＭａ個以上Ｍｂ個以下の範囲内のＭ個（Ｍａは、自然数で、Ｍｂは、Ｍａよりも大きい自然数）のピーク値を特定すると共に、特定した前記ピーク値を対応する前記成分値に関連付けてピーク値データを生成する処理部を備えた測定データ処理装置であって、前記処理部は、前記成分値の大きさ順で連続する予め規定された数の前記測定値のなかで判定対象の当該測定値が最も大きな値であるか否かを前記Ｎ個の測定値を順次判定対象として判定すると共に当該判定対象の測定値が最も大きな値のときに当該判定対象の測定値に大きい重みを付与する第１処理を予め規定された終了条件が満たされるまで繰り返し実行し、前記終了条件が満たされたときに、重みが大きい順でＭ個の前記測定値を抽出する第２処理を実行して当該Ｍ個の測定値を前記Ｍ個のピーク値として特定し、前記第１処理において、前記判定対象の測定値から数えて前記成分値がＬ個目（Ｌは、自然数）に小さい前記測定値から、当該判定対象の測定値から数えて当該成分値がＬ個目に大きい前記測定値までの当該成分値の大きさ順における（２Ｌ＋１）個の前記測定値を前記予め規定された数の測定値として当該（２Ｌ＋１）個の測定値のなかで当該判定対象の測定値が最も大きな値であるか否かを判定すると共に当該判定対象の測定値が最も大きな値のときに当該判定対象の測定値に値Ｋ（Ｋは、正の数および負の数のうちの予め規定された一方の数）の重みを付与し、前記第１処理を完了する都度、予め規定された対象数変更手順に従って前記Ｌの値を大きな値に変更し、かつ予め規定された重み変更手順に従って前記Ｋの値を大きな値に変更して当該第１処理を再び実行し、前記第１処理において最も大きな値であると判定した前記測定値が１個以下になったときに、前記終了条件が満たされたとして前記第２処理を実行する。
【００１２】
また、請求項２記載の測定データ処理装置は、請求項１記載の測定データ処理装置において、前記処理部は、前記第１処理を完了する都度、前記対象数変更手順に従って前記Ｌの値を２倍の値に変更する。
【００１３】
また、請求項３記載の測定データ処理方法は、測定対象成分における互いに相違するＮ種類（Ｎは、３以上の自然数）の成分値毎の測定値がそれぞれ記録された測定データに基づき、Ｎ個の当該測定値のなかから予め規定されたＭａ個以上Ｍｂ個以下の範囲内のＭ個（Ｍａは、自然数で、Ｍｂは、Ｍａよりも大きい自然数）のピーク値を特定すると共に、特定した前記ピーク値を対応する前記成分値に関連付けてピーク値データを生成する測定データ処理方法であって、前記成分値の大きさ順で連続する予め規定された数の前記測定値のなかで判定対象の当該測定値が最も大きな値であるか否かを前記Ｎ個の測定値を順次判定対象として判定すると共に当該判定対象の測定値が最も大きな値のときに当該判定対象の測定値に大きい重みを付与する第１処理を予め規定された終了条件が満たされるまで繰り返し実行し、前記終了条件が満たされたときに、重みが大きい順でＭ個の前記測定値を抽出する第２処理を実行して当該Ｍ個の測定値を前記Ｍ個のピーク値として特定し、前記第１処理において、前記判定対象の測定値から数えて前記成分値がＬ個目（Ｌは、自然数）に小さい前記測定値から、当該判定対象の測定値から数えて当該成分値がＬ個目に大きい前記測定値までの当該成分値の大きさ順における（２Ｌ＋１）個の前記測定値を前記予め規定された数の測定値として当該（２Ｌ＋１）個の測定値のなかで当該判定対象の測定値が最も大きな値であるか否かを判定すると共に当該判定対象の測定値が最も大きな値のときに当該判定対象の測定値に値Ｋ（Ｋは、正の数および負の数のうちの予め規定された一方の数）の重みを付与し、前記第１処理を完了する都度、予め規定された対象数変更手順に従って前記Ｌの値を大きな値に変更し、かつ予め規定された重み変更手順に従って前記Ｋの値を大きな値に変更して当該第１処理を再び実行し、前記第１処理において最も大きな値であると判定した前記測定値が１個以下になったときに、前記終了条件が満たされたとして前記第２処理を実行する。
【００１４】
また、請求項４記載の測定データ処理方法は、請求項３記載の測定データ処理方法において、前記第１処理を完了する都度、前記対象数変更手順に従って前記Ｌの値を２倍の値に変更する。
【発明の効果】
【００１５】
請求項１記載の測定データ処理装置、および請求項３記載の測定データ処理方法では、成分値の大きさ順で連続する予め規定された数の測定値のなかで判定対象の測定値が最も大きな値であるか否かをＮ個の測定値を順次判定対象として判定し、かつ判定対象の測定値が最も大きな値のときに判定対象の測定値に大きい重みを付与する第１処理を予め規定された終了条件が満たされるまで繰り返し実行し、終了条件が満たされたときに、重みが大きい順でＭ個の測定値を抽出する第２処理を実行してＭ個の測定値をＭ個のピーク値として特定すると共に、特定したピーク値を対応する成分値に関連付けてピーク値データを生成する。
【００１６】
したがって、請求項１記載の測定データ処理装置、および請求項３記載の測定データ処理方法によれば、成分値の大きさ順で連続する予め規定された数としての（２Ｌ＋１）個の測定値のなかから複数の測定値がピーク値として特定されることがないため、いずれかの測定値がＭ個のピーク値のうちの１つとして特定されたときに、そのピーク値の成分値とほぼ同じ成分値の測定値がＭ個のピーク値の他の１つとして特定される事態を確実に回避することができ、これにより、成分値が互いに相違する各種のピーク値を好適に特定することができる。
【００１７】
また、請求項２記載の測定データ処理装置、および請求項４記載の測定データ処理方法によれば、第１処理を完了する都度、Ｌの値を２倍の値に変更することにより、例えば、周波数を成分値とする測定値に関し、所定の周波数の測定値が大きく、その測定値の周波数の高調波の測定値もある程度高くなっているときに、それらの測定値をピーク値として確実に検出することができる。
【図面の簡単な説明】
【００１８】
【図１】測定装置１の構成を示す構成図である。
【図２】測定処理によって取得される測定値Ｘ０１〜Ｘ２３に対して得点を付与する手順について説明するための説明図である。
【図３】測定処理によって取得される測定値Ｘ０１〜Ｘ２３に対して得点を付与する手順について説明するための他の説明図である。
【図４】測定処理によって取得される測定値Ｘ０１〜Ｘ２３に対して得点を付与する手順について説明するためのさらに他の説明図である。
【図５】測定処理によって取得される測定値Ｘ０１〜Ｘ２３に対して得点を付与する手順について説明するためのさらに他の説明図である。
【図６】測定処理によって取得される測定値Ｘ０１〜Ｘ２３に対して得点を付与する手順について説明するためのさらに他の説明図である。
【発明を実施するための形態】
【００１９】
以下、測定データ処理装置および測定データ処理方法の実施の形態について、添付図面を参照して説明する。
【００２０】
図１に示す測定装置１は、「測定データ処理装置」の一例であって、マイクロホンを介して集音した測定データＤ０に基づき、どのような音がどの程度の音量（音圧レベル）で発生しているかを評価するためのピーク値データＤ１（「ピーク値データ」の一例）を生成する処理を実行可能に構成されている。この測定装置１は、測定部２、操作部３、表示部４、制御部５および記憶部６を備えて構成されている。
【００２１】
測定部２は、マイクロホンを接続可能に構成されると共に、制御部５の制御に従い、マイクロホンを介して集音した音声のアナログ信号をデジタル信号に変換して測定データＤ０（「測定データ」の一例）を生成する測定処理を実行する。この場合、本例の測定装置１における測定部２は、一例として、周波数：１Ｈｚ〜２５ｋＨｚの範囲内の各周波数毎の音声の音圧レベルを５０Ｈｚステップで測定した測定データＤ０を生成可能に構成されているが、測定装置１によるデータ処理についての理解を容易とするために、１．０ｋＨｚ〜２．１ｋＨｚの範囲内の５０Ｈｚステップの各周波数毎の音圧レベル（すなわち、Ｎ＝２３種類の周波数毎の音圧レベル：「測定対象成分における互いに相違するＮ種類の成分値毎の測定値」の一例）が測定されて測定データＤ０が生成される例を説明する。
【００２２】
操作部３は、測定装置１の動作条件の設定操作や、測定部２による上記の測定処理を開始／停止させる操作などが可能な複数の操作スイッチを備え（図示せず）、スイッチ操作に応じた操作信号を制御部５に出力する。表示部４は、制御部５の制御に従い、動作条件の設定画面や、測定結果を示す測定結果表示画面（いずれも図示せず）などを表示する。
【００２３】
制御部５は、測定装置１を総括的に制御する。具体的には、制御部５は、操作部３からの操作信号に応じて測定部２を制御して上記の測定処理を実行させると共に、測定部２から出力される測定データＤ０を記憶部６に記憶させる。また、制御部５は、「処理部」に相当し、記憶部６に記憶させた各測定データＤ０に基づき、一例として、各測定データＤ０に記録されている各測定値のなかからＭａ個以上Ｍｂ個以下の範囲内のＭ個のピーク値を特定すると共に、特定したピーク値を対応する周波数に関連付けてピーク値データＤ１（「ピーク値データ」の一例）を生成して記憶部６に記憶させる。
【００２４】
なお、「Ｍａ個以上Ｍｂ個以下のＭ個の範囲内のピーク値を特定する」との処理は、「ピーク値」として特定し得る測定値（他の測定値よりも十分に大きな値の測定値）がＭｂ個以上存在するときには、Ｍ＝Ｍｂ個のピーク値を特定し、「ピーク値」として特定し得る測定値の数がＭｂ個未満のときには、その数に応じてＭ＝Ｍａ以上（Ｍｂ−１）個以下のピーク値を特定することを意味する。この場合、上記したように２３種類の周波数毎のＮ＝２３個の測定値が記録された測定データＤ０が測定部２によって生成される本例では、一例として、制御部５が、Ｍａ＝１個、Ｍｂ＝２個、Ｍ＝１〜２個のピーク値を特定するものとして以下に説明する。
【００２５】
さらに、制御部５は、特定したピーク値、および対応する周波数を図示しない測定結果表示画面に表示させると共に、一例として、評価装置（パーソナルコンピュータなど）からの要求に応じてピーク値データＤ１を評価装置に出力する。記憶部６は、測定データＤ０およびピーク値データＤ１や、制御部５の動作プログラムなどを記憶する。
【００２６】
この測定装置１によるピーク値データＤ１の生成処理に際しては、まず、測定部２にマイクロホンを接続した測定装置１を測定場所に設置した後に、操作部３を操作して測定処理を開始させる。この際に、制御部５は、操作部３からの操作信号に応じて、測定部２を制御して測定処理を開始させる。また、測定部２は、マイクロホンによって集音した音声のデジタル信号に基づき、前述したＮ＝２３種類の各周波数毎の音声の音圧レベルを測定して測定データＤ０を生成すると共に、生成した測定データＤ０を制御部５に出力する。この際には、一例として、図２に示すような測定値Ｘ０１〜Ｘ２３（以下、区別しないときには「測定値Ｘ」ともいう）が記録された測定データＤ０が測定部２から出力される。
【００２７】
一方、制御部５は、測定部２から出力された測定データＤ０を記憶部６に記憶させると共に、記憶させた測定データＤ０に基づき、１個以上２個以下の範囲内のピーク値を特定する処理を開始する。具体的には、制御部５は、周波数順（「成分値の大きさ順」の一例）で連続する「予め規定された数」の測定値Ｘのなかで、判定対象とする測定値Ｘが最も大きな値であるか否かをＮ＝２３個の測定値Ｘを順次判定対象として判定し、かつ判定対象の測定値Ｘが最も大きな値のときに、その測定値Ｘに対応付けた得点を絶対値が大きい得点に変更する「第１処理」を、予め規定された「終了条件」が満たされるまで繰り返し実行する。なお、本例では、上記の「判定対象の測定値Ｘに対応付けた得点を絶対値が大きい得点に変更する」との処理が「判定対象の測定値に大きい重みを付与する」との処理に相当する。また、制御部５は、「終了条件」が満たされたときに、得点の絶対値が大きい順でＭ＝１〜２個の測定値Ｘを抽出する「第２処理」を実行し、抽出したＭ＝１〜２個の測定値Ｘを「Ｍ個のピーク値」として特定する。
【００２８】
この際に、制御部５は、上記の「第１処理」において、判定対象の測定値Ｘから数えて周波数がＬ個目に低い測定値Ｘ（「成分値がＬ個目に小さい測定値」の一例）から、判定対象の測定値Ｘから数えて周波数がＬ個目に高い測定値Ｘ（「成分値がＬ個目に大きい測定値」の一例）までの周波数順における（２Ｌ＋１）個の測定値Ｘを、上記の「予め規定された数の測定値Ｘ」として、この（２Ｌ＋１）個の測定値Ｘのなかで判定対象の測定値Ｘが最も大きな値であるか否かを判定する。また、制御部５は、上記の「第１処理」において、判定対象の測定値Ｘが最も大きな値であると判定したときに、その測定値Ｘに対応付けた得点をＫ点に変更する（「値Ｋの重みを付与する」との処理の一例）。さらに、制御部５は、「第１処理」を完了する都度、予め規定された「対象数変更手順」に従って上記のＬの値を大きな値に変更し、かつ予め規定された「重み変更手順」に従って上記のＫの値を絶対値が大きな値に変更して「第１処理」を再び実行する。また、制御部５は、「第１処理」において最も大きな値であると判定した測定値Ｘが１個以下になったときに、上記の「終了条件」が満たされたとして「第２処理」を実行する。
【００２９】
なお、本例の測定装置１では、一例として、「［１］を初期値として上記のＬの値を２倍の値に順次変更する」との手順を「対象数変更手順」としてピーク値の特定が行われる。また、本例の測定装置１では、一例として、「Ｋの値を［第１処理の実行回数］と同じ値に変更する」との手順を「重み変更手順」としてピーク値の特定が行われる。具体的には、後述するように、Ｎ＝２３個の測定値Ｘを対象とする１回目の「第１処理」時にはＬの値を「１」とすると共にＫの値を「１」とし、２回目の「第１処理」時にはＬの値を「２」とすると共にＫの値を「２」とし、３回目の「第１処理」時にはＬの値を「４」とすると共にＫの値を「３」とし、４回目の「第１処理」時にはＬの値を「８」とすると共にＫの値を「４」とし、５回目の「第１処理」時にはＬの値を「１６」とすると共にＫの値を「５」とする。
【００３０】
より具体的には、図２に示す測定値Ｘ０１〜Ｘ２３が記録された測定データＤ０が測定部２から出力されたときに、制御部５は、まず、測定値Ｘ０１〜Ｘ２３に対してそれぞれ対応付ける得点をリセットして「０点」とする。次いで、上記のＬの値を「１」に規定して、Ｎ＝２３個の測定値Ｘ０１〜Ｘ２３をそれぞれ判定対象とする１回目の「第１処理」を開始する。
【００３１】
この際に、例えば、測定値Ｘ０３を判定対象とするときには、測定値Ｘ０３から数えて周波数がＬ＝１個目に低い測定値Ｘ０２から、測定値Ｘ０３から数えて周波数がＬ＝１個目に高い測定値Ｘ０４までの（２Ｌ＋１）＝３個の測定値Ｘ０２〜Ｘ０４を「予め規定された数の測定値Ｘ」として、この測定値Ｘ０２〜Ｘ０４のなかで判定対象の測定値Ｘ０３が最も大きな値であるか否かを判定する。この際には、判定対象の測定値Ｘ０３よりも測定値Ｘ０２，Ｘ０４の方が大きな値であるため、図２に示すように、制御部５は、この測定値Ｘ０３に関連付ける特定を「０点」のまま維持する。
【００３２】
また、例えば、測定値Ｘ０４を判定対象とするときには、測定値Ｘ０４から数えて周波数がＬ＝１個目に低い測定値Ｘ０３から、測定値Ｘ０４から数えて周波数がＬ＝１個目に高い測定値Ｘ０５までの（２Ｌ＋１）＝３個の測定値Ｘ０３〜Ｘ０５を「予め規定された数の測定値Ｘ」として、この測定値Ｘ０３〜Ｘ０５のなかで判定対象の測定値Ｘ０４が最も大きな値であるか否かを判定する。この際には、判定対象の測定値Ｘ０４が測定値Ｘ０３〜Ｘ０５のなかで最も大きな値であるため、制御部５は、この測定値Ｘ０４に関連付ける特定をＫ＝「１点」に変更する。
【００３３】
なお、「第１処理」についての理解を容易とするために、測定値Ｘ０３，Ｘ０４を判定対象とする例について説明したが、例えば、測定値Ｘ０１を判定対象とするときには、測定値Ｘ０１から数えて周波数がＬ＝１個目に低い測定値Ｘ（測定値Ｘ０１よりも周波数が低い測定値Ｘ）が存在しないため、この測定値Ｘ０１を判定対象とするときには、測定値Ｘ０１から、測定値Ｘ０１から数えて周波数がＬ＝１個目に高い測定値Ｘ０２までの２個の測定値Ｘ０１，Ｘ０２を「予め規定された数の測定値Ｘ」とする判定処理が行われる。同様にして、例えば、測定値Ｘ２３を判定対象とするときには、測定値Ｘ２３から数えて周波数がＬ＝１個目に高い測定値Ｘ（測定値Ｘ２３よりも周波数が高い測定値Ｘ）が存在しないため、この測定値Ｘ２３を判定対象とするときには、測定値Ｘ２３から数えて周波数がＬ＝１個目に低い測定値Ｘ２２から測定値Ｘ２３までの２個の測定値Ｘ２２，Ｘ２３を「予め規定された数の測定値Ｘ」とする判定処理が行われる。
【００３４】
これにより、図２に示すように、１回目の「第１処理」においては、測定値Ｘ０２，Ｘ０４，Ｘ０６・・Ｘ２０，Ｘ２２に対応付けられた得点がＫ＝「１点」に変更され（「第１処理において最も大きな値であると判定した測定値」が１１個の状態）、測定値Ｘ０１，Ｘ０３，Ｘ０５・・Ｘ２１，Ｘ２３に対応付けられた得点が「０点」のまま維持される。また、１回目の「第１処理」を完了したときに、制御部５は、前述したように、Ｌの値を「２」に変更し、かつＫの値を「２」に変更して、２回目の「第１処理」を開始する。
【００３５】
この際に、測定値Ｘ０１，Ｘ０３，Ｘ０５・・Ｘ２１，Ｘ２３については、上記の１回目の「第１処理」において（２Ｌ＋１）＝３個の測定値Ｘのなかで最も大きな値ではないと判別されている。したがって、この測定値Ｘ０１，Ｘ０３，Ｘ０５・・Ｘ２１，Ｘ２３については、ピーク値ではないことが確定しているため、制御部５は、測定値Ｘ０１，Ｘ０３，Ｘ０５・・Ｘ２１，Ｘ２３についての判定処理を実行することなく、測定値Ｘ０２，Ｘ０４，Ｘ０６・・Ｘ２０，Ｘ２２だけを対象として判定処理をそれぞれ実行する。
【００３６】
例えば、測定値Ｘ０４を判定対象とするときには、測定値Ｘ０４から数えて周波数がＬ＝２個目に低い測定値Ｘ０２から、測定値Ｘ０４から数えて周波数がＬ＝２個目に高い測定値Ｘ０６までの（２Ｌ＋１）＝５個の測定値Ｘ０２〜Ｘ０６を「予め規定された数の測定値Ｘ」として、この測定値Ｘ０２〜Ｘ０６のなかで判定対象の測定値Ｘ０４が最も大きな値であるか否かを判定する。この際には、判定対象の測定値Ｘ０４が測定値Ｘ０２〜Ｘ０６のなかで最も大きな値であるため、図３に示すように、制御部５は、この測定値Ｘ０４に関連付ける特定をＫ＝「２点」に変更する。なお、図３、および後に参照する図４〜６では、それ以前に実行した「第１処理」においてピーク値ではないことが確定している測定値Ｘを破線で示している。
【００３７】
また、測定値Ｘ０６を判定対象とするときには、測定値Ｘ０６から数えて周波数がＬ＝２個目に低い測定値Ｘ０４から、測定値Ｘ０６から数えて周波数がＬ＝２個目に高い測定値Ｘ０８までの（２Ｌ＋１）＝５個の測定値Ｘ０４〜Ｘ０８を「予め規定された数の測定値Ｘ」として、この測定値Ｘ０４〜Ｘ０８のなかで判定対象の測定値Ｘ０６が最も大きな値であるか否かを判定する。この際には、判定対象の測定値Ｘ０６よりも測定値Ｘ０４の方が大きな値であるため、制御部５は、この測定値Ｘ０６に関連付ける特定を「１点」のまま維持する。
【００３８】
なお、この２回目の「第１処理」において、例えば、測定値Ｘ０２を判定対象とするときには、測定値Ｘ０２から数えて周波数がＬ＝２個目に低い測定値Ｘが存在しないため、この測定値Ｘ０２を判定対象とするときには、測定値Ｘ０２から、測定値Ｘ０２から数えて周波数がＬ＝２個目に高い測定値Ｘ０４までの３個の測定値Ｘ０２〜Ｘ０４を「予め規定された数の測定値Ｘ」とする判定処理が行われる。同様にして、例えば、測定値Ｘ２２を判定対象とするときには、測定値Ｘ２２から数えて周波数がＬ＝２個目に高い測定値Ｘが存在しないため、この測定値Ｘ２２を判定対象とするときには、測定値Ｘ２２から数えて周波数がＬ＝２個目に低い測定値Ｘ２０から、測定値Ｘ２２までの３個の測定値Ｘ２０〜Ｘ２２を「予め規定された数の測定値Ｘ」とする判定処理が行われる。
【００３９】
これにより、図３に示すように、２回目の「第１処理」においては、測定値Ｘ０４，Ｘ１２，Ｘ２０に対応付けられた得点がＫ＝「２点」に変更され（「第１処理において最も大きな値であると判定した測定値」が３個の状態）、測定値Ｘ０２，Ｘ０６，Ｘ０８，Ｘ１０，Ｘ１４，Ｘ１６，Ｘ１８，Ｘ２２に対応付けられた得点が「１点」のまま維持され、かつ測定値Ｘ０１，Ｘ０３，Ｘ０５・・Ｘ２１，Ｘ２３に対応付けられた得点が「０点」のまま維持される。また、２回目の「第１処理」を完了したときに、制御部５は、前述したように、Ｌの値を「４」に変更し、かつＫの値を「３」に変更して、３回目の「第１処理」を開始する。
【００４０】
この際に、測定値Ｘ０１，Ｘ０３，Ｘ０５・・Ｘ２１，Ｘ２３については、前述した１回目の「第１処理」において（２Ｌ＋１）＝３個の測定値Ｘのなかで最も大きな値ではないと判別され、測定値Ｘ０２，Ｘ０６，Ｘ０８，Ｘ１０，Ｘ１４，Ｘ１６，Ｘ１８，Ｘ２２については、上記の２回目の「第１処理」において（２Ｌ＋１）＝５個の測定値Ｘのなかで最も大きな値ではないと判別されている。したがって、これらの測定値Ｘについては、ピーク値ではないことが確定しているため、制御部５は、測定値Ｘ０４，Ｘ１２，Ｘ２０だけを対象とする判定処理を実行する。
【００４１】
これにより、図４に示すように、３回目の「第１処理」においては、測定値Ｘ０４，Ｘ１２，Ｘ２０に対応付けられた得点がＫ＝「３点」に変更され（「第１処理において最も大きな値であると判定した測定値」が３個の状態）、測定値Ｘ０２，Ｘ０６，Ｘ０８，Ｘ１０，Ｘ１４，Ｘ１６，Ｘ１８，Ｘ２２に対応付けられた得点が「１点」のまま維持され、かつ測定値Ｘ０１，Ｘ０３，Ｘ０５・・Ｘ２１，Ｘ２３に対応付けられた得点が「０点」のまま維持される。また、３回目の「第１処理」を完了したときに、制御部５は、前述したように、Ｌの値を「８」に変更し、かつＫの値を「４」に変更して、４回目の「第１処理」を開始する。
【００４２】
この際に、制御部５は、それ以前に実行した「第１処理」においてピーク値ではないことが確定している測定値Ｘを除き、測定値Ｘ０４，Ｘ１２，Ｘ２０だけを対象とする判定処理を実行する。これにより、図５に示すように、４回目の「第１処理」においては、測定値Ｘ０４，Ｘ２０に対応付けられた得点がＫ＝「４点」に変更され（「第１処理において最も大きな値であると判定した測定値」が２個の状態）、測定値Ｘ１２に対応付けられた得点がＫ＝「３点」のまま維持され、測定値Ｘ０２，Ｘ０６，Ｘ０８，Ｘ１０，Ｘ１４，Ｘ１６，Ｘ１８，Ｘ２２に対応付けられた得点が「１点」のまま維持され、かつ測定値Ｘ０１，Ｘ０３，Ｘ０５・・Ｘ２１，Ｘ２３に対応付けられた得点が「０点」のまま維持される。また、４回目の「第１処理」を完了したときに、制御部５は、前述したように、Ｌの値を「１６」に変更し、かつＫの値を「５」に変更して、５回目の「第１処理」を開始する。
【００４３】
この際に、制御部５は、それ以前に実行した「第１処理」においてピーク値ではないことが確定している測定値Ｘを除き、測定値Ｘ０４，Ｘ２０だけを対象とする判定処理を実行する。これにより、図６に示すように、５回目の「第１処理」においては、測定値Ｘ０４に対応付けられた得点がＫ＝「５点」に変更され（「第１処理において最も大きな値であると判定した測定値」が１個の状態）、測定値Ｘ２０に対応付けられた得点がＫ＝「４点」のまま維持され、測定値Ｘ１２に対応付けられた得点がＫ＝「３点」のまま維持され、測定値Ｘ０２，Ｘ０６，Ｘ０８，Ｘ１０，Ｘ１４，Ｘ１６，Ｘ１８，Ｘ２２に対応付けられた得点が「１点」のまま維持され、かつ測定値Ｘ０１，Ｘ０３，Ｘ０５・・Ｘ２１，Ｘ２３に対応付けられた得点が「０点」のまま維持される。
【００４４】
また、上記の５回目の「第１処理」において「第１処理において最も大きな値である」と判定した測定値Ｘが測定値Ｘ０４の１個だけ（「１個以下」の一例）のため、制御部５は、「終了条件」が満たされたと判別し、後述する「第２処理」を開始する。なお、本例とは相違するが、例えば、測定値Ｘ０４，Ｘ２０が互いに等しい値であったときには、上記の５回目の「第１処理」において、測定値Ｘ０４，Ｘ２０の双方が「（２Ｌ＋１）＝１７個の測定値Ｘ」のなかで最も大きな値ではない（同じ値の測定値Ｘが存在する）と判定される。この際には、「第１処理において最も大きな値である」と判定した測定値Ｘが０個（「１個以下」の他の一例）のため、制御部５は、「終了条件」が満たされたと判別し、「第２処理」を開始する。
【００４５】
一方、５回目の「第１処理」によって測定値Ｘ０４の１個だけが「最も大きな値の測定値」であると判定されて「終了条件」が満たされた本例では、制御部５は、「第２処理」において、Ｎ＝２３個の測定値Ｘ０１〜Ｘ２３から、対応付けた得点の絶対値が大きい順（Ｋの値を「正の数」としている本例では、得点が大きい順）でＭ＝１〜２個の測定値Ｘを抽出する。この際には、ピーク値として抽出し得る測定値Ｘが２個以上存在するため、制御部５は、対応付けた得点が「５点」の測定値Ｘ０４、および対応付けた得点が「４点」の測定値Ｘ２０のＭ＝２個の測定値Ｘを抽出する。これにより、「第２処理」が完了する。
【００４６】
次いで、制御部５は、測定値Ｘ０４をピーク値Ｐ０１として特定すると共に、測定値Ｘ２０をピーク値Ｐ２として特定する。続いて、制御部５は、ピーク値Ｐ１（測定値Ｘ０４）を対応する周波数（この例では、１．１５ｋＨｚ）に関連付け、かつピーク値Ｐ２（測定値Ｘ２０）を対応する周波数（この例では、１．９５ｋＨｚ）に関連付けてピーク値データＤ１を生成し、生成したピーク値データＤ１を記憶部６に記憶させる。この後、制御部５は、ピーク値データＤ１に記録したピーク値Ｐ１，Ｐ２、およびその周波数を測定結果表示画面に表示させる（図示せず）。また、一例として、評価装置からの送信要求があったときに、制御部５は、記憶部６に記憶させているピーク値データＤ１を評価装置に送信する。これにより、評価装置において、１．１５ｋＨｚおよび１．９５ｋＨｚにおいて大きな音が発生していると評価される。
【００４７】
このように、この測定装置１、および測定装置１による測定データ処理方法では、周波数順で連続する「予め規定された数」の測定値Ｘのなかで判定対象の測定値Ｘが最も大きな値であるか否かをＮ個の測定値Ｘを順次判定対象として判定し、かつ判定対象の測定値Ｘが最も大きな値のときに判定対象の測定値Ｘに大きい重みを付与する（本例では、大きい得点に変更する）「第１処理」を予め規定された「終了条件」が満たされるまで繰り返し実行し、「終了条件」が満たされたときに、重みが大きい順（得点の絶対値が大きい順）でＭ個の測定値Ｘを抽出する「第２処理」を実行してＭ個の測定値ＸをＭ個のピーク値Ｐとして特定すると共に、特定したピーク値Ｐを対応する成分値に関連付けてピーク値データＤ１を生成する。
【００４８】
したがって、この測定装置１、および測定装置１による測定データ処理方法によれば、周波数順で連続する「予め規定された数」としての（２Ｌ＋１）個の測定値Ｘのなかから複数の測定値Ｘがピーク値Ｐとして特定されることがないため、いずれかの測定値ＸがＭ個のピーク値Ｐのうちの１つとして特定されたときに、そのピーク値Ｐの周波数とほぼ同じ周波数の測定値ＸがＭ個のピーク値Ｐの他の１つとして特定される事態を確実に回避することができ、これにより、周波数が互いに相違する各種のピーク値Ｐを好適に特定することができる。
【００４９】
また、この測定装置１、および測定装置１による測定データ処理方法によれば、「第１処理」を完了する都度、Ｌの値を２倍の値に変更することにより、所定の周波数の音の音圧レベルが高く、その音の周波数の高調波の音の音圧レベルもある程度高くなっているときに、それらの音の測定値Ｘをピーク値Ｐとして確実に検出することができる。
【００５０】
なお、「測定データ処理装置」の構成、および「測定データ処理方法」の具体的な処理手順については、上記の測定装置１の構成およびその処理手順の例に限定されない。例えば、判定対象の測定値Ｘが最も大きな値のときに、「大きい重みを付与する」との処理の一例として、その測定値Ｘに対応付けた得点をＫの値（「第１処理」の実行回数：「第１処理」を実行する都度大きな値に変化する数）に変更するとの処理を実行する構成・方法を例に挙げて説明したが、このような構成・方法に代えて、判定対象の測定値Ｘが最も大きな値のときに、「大きい重みを付与する」との処理の他の一例として、その測定値Ｘに対応付けた得点に対して、予め規定された点数（いずれの「第１処理」においても同じ点数：例えば、「１点」）を加点するとの処理を実行し、各測定値Ｘに対応付けられた最終的な点数（合計点数）に基づいてピーク値Ｐを特定する構成・方法を採用することもできる。
【００５１】
また、「大きい重みを付与する」との処理は、上記の例のように、「１点」、「２点」、「３点」・・のように、測定値Ｘの得点を徐々に大きな値に変化させる処理（Ｋの値を正の数とする例）だけでなく、「−１点」、「−２点」、「−３点」・・のように、測定値Ｘの得点自体は徐々に小さな値に変化させるものの、その絶対値を徐々に大きな値に変化させる処理（Ｋの値を負の数とする例）を行うこともできる。さらに、Ｋの値（重み：得点）については、上記の例のような整数に限定されず、小数や、整数および小数の組合せからなる数とすることができる。また、「第１処理」が完了する都度、Ｌの値を２倍の数に変更する例について説明したが、Ｌの値については、直前に実行した「第１処理」時の規定数よりも大きな値である限り、任意の数に変更することができる。さらに、Ｌの値の初期値についても「１」に限定されず、「２」以上の任意の自然数とすることができる。
【００５２】
また、「測定データ」の一例である測定データＤ０を生成する構成要素（本例では、測定部２）を一体的に備えて構成した測定装置１を例に挙げて説明したが、「測定データ処理装置」の構成は、これに限定されず、外部装置としての「測定装置」において生成された「測定データ」に基づいて上記のピーク値データＤ１を生成する処理を実行可能に構成することもできる。さらに、生成したピーク値データＤ１を外部装置としての評価装置に送信して評価処理等を実行させる例について説明したが、上記の例における評価装置の構成（ピーク値データＤ１に基づく各種の評価処理を実行する処理部）を一体的に備えて「測定データ処理装置」を構成することもできる。
【００５３】
加えて、「測定対象成分（成分値）」としての各周波数毎に「測定値」としての音圧レベルを記録した測定データＤ０を処理することで、測定場所においてどのような音が発生しているかを評価可能なピーク値データＤ１を生成する構成・方法を例に挙げて説明したが、「測定データ処理装置」および「測定データ処理方法」によって処理する「測定データ」はこれに限定されず、例えば、測定対象信号に含まれるノイズの周波数毎の電流値または電圧値（「測定値」の他の一例）を記録した「測定データ（ノイズ成分を分析するための測定データ）」や、電気回路に対してインパルス状の電気信号を入力したときの信号入力時点からの経過時間（「測定対象成分」の他の一例）毎の電圧値または電流値（「測定値」の一例）の変化を記録した「測定データ（過渡応答分析用の測定データ）」などの各種の「測定データ」を対象として、上記の測定装置１による「第１処理」および「第２の処理」と同様の処理を実行する構成・方法を採用することができる。
【符号の説明】
【００５４】
１  測定装置
２  測定部
３  操作部
４  表示部
５  制御部
６  記憶部
Ｄ０  測定データ
Ｄ１  ピーク値データ
Ｐ１，Ｐ２  ピーク値
Ｘ０１〜Ｘ２３  測定値
【図１】
0006410599.tif 000002
【図２】
0006410599.tif 000003
【図３】
0006410599.tif 000004
【図４】
0006410599.tif 000005
【図５】
0006410599.tif 000006
【図６】
0006410599.tif 000007